(57)【要約】【課題】より安価な磁性材料のコアを使用しつつ、外部磁界によるノイズ耐性に優れた電流検出器を提供する。【解決手段】電流検出器１００は、角形環状のフェライトコア１０４を採用している。フェライトコア１０４には、その１つの長辺部１０４ａにコアギャップ１０４ｃとエアギャップ１０８とが互いに近接した位置に形成されており、コアギャップ１０４ｃにホール素子１１６が配置される。フェライトコア１０４によって形成される磁路の中では、コアギャップ１０４ｃの近傍の領域での磁気抵抗が他の領域よりも大きいため、外部磁界に晒された場合でもコアギャップ１０４ｃには磁束が通りにくい。【選択図】図１
2008224260.tif 000002
【特許請求の範囲】
【請求項１】
被検出電流の導通により発生する磁界の周回方向に沿って環状の磁路を形成するとともに、この磁路の途中にギャップを有するフェライトコアと、
前記フェライトコアのギャップ間に配置され、被検出電流の導通に伴いギャップ間に生じる磁界を電圧信号に変換する感磁素子と、
被検出電流の導通により発生した磁界とは別の外部磁界に前記フェライトコアが暴露された場合、少なくとも前記ギャップ間を外部磁界が通過するのを抑制する抑制手段と
を備えたことを特徴とする電流検出器。
【請求項２】
被検出電流の導通により発生する磁界の周回方向に沿って環状の磁路を形成するとともに、この磁路の途中にギャップを有するフェライトコアと、
前記フェライトコアのギャップ間に配置され、被検出電流の導通に伴いギャップ間に生じる磁界を電圧信号に変換する感磁素子と、
前記フェライトコアのギャップに近接した位置に形成され、前記フェライトコアにより形成される磁路の中でギャップ近傍の領域の磁気抵抗を相対的に増大させる抵抗増大部と
を備えたことを特徴とする電流検出器。
【請求項３】
被検出電流の導通により発生する磁界の周回方向に沿って環状の磁路を形成するとともに、この磁路の途中にギャップを有するフェライトコアと、
前記フェライトコアのギャップ間に配置され、被検出電流の導通に伴いギャップ間に生じる磁界を電圧信号に変換する感磁素子と、
前記フェライトコアの少なくともギャップを除く外面を覆う位置に設けられ、被検出電流の導通により発生した磁界とは別の外部磁界が前記フェライトコアの磁路内に介入するのを防止する介入防止部材と
を備えたことを特徴とする電流検出器。
【請求項４】
被検出電流の導通により発生する磁界の周回方向に沿って環状の磁路を形成するとともに、この磁路の途中にギャップを有するフェライトコアと、
前記フェライトコアのギャップ間に配置され、被検出電流の導通に伴いギャップ間に生じる磁界を電圧信号に変換する感磁素子と、
前記フェライトコアのギャップに近接した位置に形成され、前記フェライトコアにより形成される磁路の中でギャップ近傍の領域の磁気抵抗を相対的に増大させる抵抗増大部と、
前記フェライトコアの少なくともギャップ及び前記抵抗増大部の両方を除く外面を覆う位置に設けられ、被検出電流の導通により発生した磁界とは別の外部磁界が前記フェライトコアの磁路内に介入するのを防止する介入防止部材と
を備えたことを特徴とする電流検出器。
【請求項５】
請求項２又は４に記載の電流検出器において、
前記フェライトコアは磁界の周回方向に沿って角形環状をなしており、そのギャップ及び前記抵抗増大部が同一辺上に形成されていることを特徴とする電流検出器。
【発明の詳細な説明】
【技術分野】
【０００１】
本発明は、電流の測定や検出に用いられる磁気比例方式の電流検出器に関する。
【背景技術】
【０００２】
この種の電流検出器は、被検出電流によって発生する磁界をコアで収束し、コアのギャップ間に配置した感磁素子（例えばホール素子）で磁束を電圧に変換して出力するものである。コアとして通常使用されているものは、トロイダルタイプのギャップ付きコアか（例えば、特許文献１参照）、もしくは小型の場合、複数枚のシートコアを積層したタイプのコアである（例えば、特許文献２参照）。
【０００３】
トロイダルタイプのコアは、磁性材料の方向性珪素鋼板をその磁化容易方向に沿って切断して帯板状に加工しておき、これを巻き取ってトロイダル状に成形した後、その一部を径方向に切断することでコアギャップを形成したものである。また積層タイプのコアは、一般にパーマロイ等の磁性材料を枚葉のシートコアに打ち抜き、これらを積層して１つのコアにしたものである。
【特許文献１】特開２００３−１７３４７号公報（図１）
【特許文献２】特開平９−２８１１５２号公報（図１）
【発明の開示】
【発明が解決しようとする課題】
【０００４】
上述したトロイダルタイプのコアに用いられる方向性珪素鋼板や、積層タイプのコアに用いられるパーマロイは、いずれも優れた磁気特性（透磁率、飽和磁束密度）を有した磁性材料であり、電流検出用のコアとして好適である。その反面、これら方向性珪素鋼板やパーマロイは比較的高価な材料であり、電流検出器の製造にかかるコストを考慮すると、コアの材料として使用できる大きさや数量は限られている。
【０００５】
しかしながら、単純にコアの材料をフェライト等の安価なものに置き換えただけでは、方向性珪素鋼板やパーマロイ製のコアと比較して磁気特性に劣るため、外部磁界（ノイズ）の影響を受けやすくなるという問題が生じる。外部磁界の影響によってホール素子の電圧信号が変動すると、もはや被検出電流の値を正確に検出できなくなるため、電流検出器としては致命的な欠陥となってしまう。
【０００６】
そこで本発明は、より安価な磁性材料を採用しつつ、外部磁界の影響を排除することができる技術の提供を課題としたものである。
【課題を解決するための手段】
【０００７】
先ず本発明の電流検出器は、より安価な磁性材料であるフェライト製のコアを採用する。フェライトコアは、被検出電流の導通により発生する磁界の周回方向に沿って環状の磁路を形成するとともに、この磁路の途中にギャップを有する。このギャップ間には、被検出電流の導通に伴いギャップ間に生じる磁界を電圧信号に変換する感磁素子が配置されている。そして本発明は、被検出電流の導通により発生した磁界とは別の外部磁界にフェライトコアが暴露された場合であっても、少なくともギャップ間を外部磁界が通過するのを抑制する手段を備えることで上記の課題を解決する。
【０００８】
本発明の電流検出器によれば、たとえフェライトコアが外部磁界に晒されることがあったとしても、その影響が感磁素子の出力電圧にまで及ぶことはない。このため感磁素子は、被検出電流によって生じた磁界を正確に電圧信号に変換して出力することができ、その正確な検出動作を可能とする。
【０００９】
また本発明は、より具体的な態様として以下の３つを提供する。
第１の発明は、上記と同じくフェライト製のコアを採用した電流検出器である。その上で第１の発明に係るフェライトコアには、そのギャップに近接した位置に抵抗増大部が形成されており、この抵抗増大部は、フェライトコアにより形成される磁路の中でギャップ近傍の領域の磁気抵抗を相対的に増大させるものである。
【００１０】
第１発明の電流検出器によれば、たとえフェライトコアが外部磁界に晒されたとしても、磁路の中でギャップ近傍の領域の磁気抵抗が相対的に大きいため、外部磁界はその他の磁気抵抗の低い領域に収束される。これにより、感磁素子の電圧信号には外部磁界がノイズとして介入しなくなるため、被検出電流を正確に検出することが可能となる。
【００１１】
第２の発明もまた、同じくフェライト製のコアを採用した電流検出器である。その上で第２の発明は、フェライトコアの少なくともギャップを除く外面を覆う位置に設けられた介入防止部材を有する。この介入防止部材は、被検出電流の導通により発生した磁界とは別の外部磁界がフェライトコアの磁路内に介入するのを防止する機能を有する。
【００１２】
通常、電流検出用のコアは被検出電流（導体）の周囲に配置されており、この周囲に発生した磁界（磁束）を磁路内にて収束させるべく環状に形成されている。一方で、外部磁界は被検出電流とは別の要因で発生するものであり、このような外部磁界はフェライトコアの外側から到来するものである。そこで第２の発明では、フェライトコアのギャップ領域を除く外面を介入防止部材で覆い、外側から到来する外部磁界の進入を遮断している。
【００１３】
なお介入防止部材には、フェライトよりも透磁率が高く、磁気抵抗の小さい磁性材料が適する。この場合、外部磁界はフェライトコアよりも介入防止部材にて収束され、その内部を通過することから、フェライトコアには被検出電流によって生じた磁界だけが良好に収束される。またフェライトコアは、そのギャップ領域の外側が介入防止部材に覆われていないため、介入防止部材からギャップ間に外部磁界が漏れ出てしまうことはない。
【００１４】
第３の発明は、同じくフェライトコアを有する電流検出器である。そして第３の発明は、第１の発明でいう抵抗増大部と、第２の発明でいう介入防止部材とを兼ね備えた構成である。この場合、介入防止部材はフェライトコアの少なくともギャップ及び抵抗増大部の両方を除く外面を覆う位置に設けられる。
【００１５】
第３の発明によれば、介入防止部材による外部磁界の遮断機能と、抵抗増大部によるギャップ近傍での磁気抵抗の増大機能とを合わせ持つことにより、より確実に外部磁界による影響を排除して正確な電流検出を行うことが可能となる。
【００１６】
上述した第１又は第３の発明において、フェライトコアは磁界の周回方向に沿って角形環状をなしており、そのギャップ及び抵抗増大部が同一辺上に形成されている態様であってもよい。
【００１７】
この場合、被検出電流の周囲には、フェライトコアによって角形環状の磁路が形成されており、その中で特にギャップ及び抵抗増大部が形成された１つの辺部における磁気抵抗が他の辺部よりも大きくなる。このため、外部磁界がフェライトコアに進入した場合であっても、外部磁界（磁束）は他の辺部に収束されて通過するため、感磁素子の電圧信号に変動が生じることはない。
【発明の効果】
【００１８】
本発明によれば、より安価な材料を用いて電流検出器を製造することができ、その分、製造にかかるコストを大幅に低下することができる。
【００１９】
また、フェライトコアとは別に介入防止部材を用いた場合であっても、コアの材料を安価に抑えているため、その範囲内で介入防止部材の材料費を賄うことができ、余計なコスト上昇を抑えることができる。
【発明を実施するための最良の形態】
【００２０】
以下、本発明の実施形態について図面を参照しながら説明する。
【００２１】
〔第１実施形態〕
図１は、第１実施形態の電流検出器１００を構成要素に分解して示した斜視図である。電流検出器１００は樹脂ケース１０２を備えており、この樹脂ケース１０２にはフェライトコア１０４とともに中間コア１０６が収容されるものとなっている。フェライトコア１０４はある程度の厚みを有した角形環状（Ｃ字形状）をなしており、この例では略長方形の１つの長辺部１０４ａに切欠部１０４ｂが形成されている。また、中間コア１０６は直方体のブロック形状をなしており、その外形寸法はフェライトコア１０４の厚みや長辺部１０４ａの幅に概ね合致している。これらフェライトコア１０４及び中間コア１０６は、例えば亜鉄酸塩の焼結合金から成形されており、その材料は一般的にＭｎ−Ｚｎフェライト、Ｎｉ−Ｚｎフェライトである。
【００２２】
樹脂ケース１０２内にフェライトコア１０４及び中間コア１０６がともに収容されると、中間コア１０６がフェライトコア１０４の切欠部１０４ｂ内の略中間に位置付けられる。これにより、切欠部１０４ｂ内にて中間コア１０６とフェライトコア１０４の一端との間にコアギャップ１０４ｃが形成されるとともに、中間コア１０６を挟んでその反対側に別のエアギャップ１０８（抵抗増大部）が形成されることになる。
【００２３】
樹脂ケース１０２は主に、外周壁１０２ａと内周壁１０２ｂ、そして隔壁１０２ｃから構成されている。外周壁１０２ａは、フェライトコア１０４の外周面よりも僅かに大きい角筒状をなしており、また内周壁１０２ｂはフェライトコア１０４の内周面よりも僅かに小さい角筒状をなしている。図１に示される状態で、隔壁１０２ｃは樹脂ケース１０２の底板となり、外周壁１０２ａと内周壁１０２ｂとの間を塞いでいる。樹脂ケース１０２は、隔壁１０２ｃと反対側の上面が開口しており、この開口を通じてフェライトコア１０４は外周壁１０２ａと内周壁１０２ｂとの間に填り込むようにして収容される。
【００２４】
また樹脂ケース１０２内には、中間コア１０６が収容される位置に対応して４つのガイドリブ１１０，１１２が形成されている。これらガイドリブ１１０，１１２は、外周壁１０２ａ及び内周壁１０２ｂの各壁面から突出するようにして形成されている。中間コア１０６が樹脂ケース１０２内に収容されると、その四隅がガイドリブ１１０，１１２に沿って案内され、樹脂ケース１０２内での位置決めがなされるものとなっている。
【００２５】
なお、隔壁１０２ｃは内周壁１０２ｂの内側には形成されておらず、それゆえ樹脂ケース１０２の中央には貫通穴１１４が形成されている。電流検出器１００の使用時には、被検出電流を導通させる導体（電気配線等）が貫通穴１１４を通じて縦方向に設置される。
【００２６】
樹脂ケース１０２には、フェライトコア１０４及び中間コア１０６とともにホール素子１１６もまた収容される。ホール素子１１６は回路基板１１８に実装されており、この回路基板１１８はフェライトコア１０４及び中間コア１０６の上面に重ね合わせられるようにして収容される。このときホール素子１１６は、上述したコアギャップ１０４ｃ間に挿入される。
【００２７】
上記のように樹脂ケース１０２内にフェライトコア１０４及び中間コア１０６を収容し、さらにホール素子１１６を実装した回路基板１１８を収容した状態で、樹脂ケース１０２内が図示しないポッティング樹脂により封止されると、電流検出器１００が完成品となる。なお、回路基板１１８のリード端子はポッティング樹脂に埋没しておらず、このため外部からの配線接続が可能となっている。
【００２８】
図２は、フェライトコア１０４内に形成される磁路を模式的に示した図である。なお図２中（Ａ）は、第１実施形態で用いたフェライトコア１０４及び中間コア１０６の断面（図１中のII−II断面）を示している。また図２中（Ｂ）は、比較例として挙げたフェライトコア５０４の断面を示している。
【００２９】
通常、被検出電流によって発生する磁界は、フェライトコア１０４内に形成される角形環状の磁路を通じて周回する。ホール素子１１６は、その感磁部（感磁面）を磁界の周回方向に正対させている。ところが、フェライトコア１０４が外部磁界（図中参照符号Ｎ）に晒されると、外部磁界によってフェライトコア１０４の磁路内にノイズが発生することになる。このとき第１実施形態で用いたフェライトコア１０４は、外部磁界によるノイズの影響を以下の手法で排除している。
【００３０】
図２中（Ａ）：第１実施形態で用いたフェライトコア１０４は、角形環状をなす同じ１つの長辺部１０４ａ内にコアギャップ１０４ｃとエアギャップ１０８とが互いに近接して形成されている。一方、長辺部１０４ａと対をなすもう１つの長辺部１０４ｄにはギャップに相当する部分がない。この場合、磁路の中ではコアギャップ１０４ｃ近傍の領域での磁気抵抗が相対的に大きく、その他の領域での磁気抵抗は相対的に小さくなっている。このため、例えばフェライトコア１０４に対し、ホール素子１１６の感磁部（感磁面）に正対する方向に外部磁界が到来すると、図中に矢印で示されているように、磁路の中では相対的に磁気抵抗の大きいコアギャップ１０４ｃの近傍の領域には磁束が通りにくく、その他の領域に磁束が通りやすくなる。
【００３１】
図２中（Ｂ）：これに対して比較例として用いたフェライトコア５０４では、対をなす２つの長辺部５０４ａ，５０４ｄの両方にそれぞれギャップ５０４ｂ，５０４ｃが形成されている。この場合、磁路の中ではいずれの長辺部５０４ａ，５０４ｄも磁気抵抗が同程度であるため、同じく外部磁界が到来すると、両方の長辺部５０４ａ，５０４ｄを磁束が通ることになる。
【００３２】
第１実施形態と比較例とを対比すると、以下のことが明らかである。
（１）比較例では、長辺部５０４ａ，５０４ｄの両方とも外部磁界の影響によって磁束が通りやすいため、ホール素子１１６にノイズの影響が介入してしまい、もはや正確な電圧信号を出力させることができなくなる。
【００３３】
（２）これに対し第１実施形態では、たとえフェライトコア１０４が外部磁界に晒されたとしても、ホール素子１１６を含むコアギャップ１０４ｃの領域には磁束が通りにくい。このため、ホール素子１１６にノイズの影響を介入させることなく、被検出電流により発生する磁界に応じて正確な電圧信号を出力させることができる。
【００３４】
図３は、第１実施形態のフェライトコア１０４に中間コア１０６をもう１つ追加した実施形態を示す断面図である。この場合、フェライトコア１０４の切欠部１０４ｂ内には、ホール素子１１６を挟んでその両側（図３でみて左右）に中間コア１０６が１つずつ配置されている。したがって、コアギャップ１０４ｃは２つの中間コア１０６の間に形成されており、エアギャップ１０８は２つの中間コア１０６にそれぞれ対応して２つ形成されている。
【００３５】
上記の追加実施形態においても、２つのエアギャップ１０８がコアギャップ１０４ｃに近接した位置に形成されているため、磁路の中ではコアギャップ１０４ｃの近傍の領域での磁気抵抗が他の領域よりも大きい。したがって、第１実施形態と同様に外部磁界による磁束がホール素子１１６を含むコアギャップ１０４ｃの領域を通らないため、ホール素子１１６にノイズの影響を介入させることなく正確な電圧信号を出力させることができる。
【００３６】
〔第２実施形態〕
図４は、第２実施形態の電流検出器２００を構成要素に分解して示した斜視図である。第２実施形態の電流検出器２００もまた樹脂ケース２０２を備えており、この樹脂ケース２０２にはフェライトコア２０４とともにホール素子１１６が収容されるものとなっている。第２実施形態のフェライトコア２０４もまた、ある程度の厚みを有した角形環状（Ｃ字形状）をなしており、この例では略長方形の１つの長辺部２０４ａにコアギャップ２０４ｃが形成されている。なおフェライトコア２０４の材料は、例えば第１実施形態と同様である。
【００３７】
第２実施形態の電流検出器２００は、フェライトコア２０４の他にコ字形状のシールド部材（介入防止部材）２２０を備えている。このシールド部材２２０は、フェライトコア２０４とともに樹脂ケース２０２内に収容され、この状態で、例えばフェライトコア２０４の長辺部２０４ａを除く他の長辺部２０４ｄ及び２つの短辺部２０４ｅの外周面を覆うようにして配置される。なおシールド部材２２０には、その材料として例えば珪素鋼板が用いられている。
【００３８】
第２実施形態の樹脂ケース２０２についても、主に外周壁２０２ａと内周壁２０２ｂ、そして隔壁２０２ｃから構成されている。この場合、外周壁２０２ａはフェライトコア２０４の外側にシールド部材２２０を配置したときの外形寸法よりも僅かに大きい角筒状をなしている。また内周壁２０２ｂは、フェライトコア２０４の内周面よりも僅かに小さい角筒状をなしている。第２実施形態においても、図４に示される状態で隔壁２０２ｃは樹脂ケース２０２の底板となり、外周壁２０２ａと内周壁２０２ｂとの間を塞いでいる。樹脂ケース２０２は、隔壁２０２ｃと反対側の上面が開口しており、この開口を通じてフェライトコア２０４及びシールド部材２２０が外周壁２０２ａと内周壁２０２ｂとの間に填り込むようにして収容される。
【００３９】
また第２実施形態においても同様に、隔壁２０２ｃは内周壁２０２ｂの内側には形成されておらず、それゆえ樹脂ケース２０２の中央には貫通穴２１４が形成されている。電流検出器２００の使用時には、被検出電流を導通させる導体（電気配線等）が貫通穴２１４を通じて縦方向に設置される。なお、ホール素子１１６及び回路基板１１８は第１実施形態と共通の構成であり、ここでは重複した説明を省略する。また樹脂ケース２０２内のポッティング樹脂による封止についても第１実施形態と同様である。
【００４０】
図５は、フェライトコア２０４及びシールド部材２２０の断面図（図４中Ｖ−Ｖ断面）である。第２実施形態においても通常、被検出電流によって発生した磁界は、フェライトコア２０４によって形成される角形環状の磁路を通じて周回する。このときホール素子１１６はコアギャップ２０４ｃ間にあって、その感磁部（感磁面）を磁路の方向に対向させた状態にある。このとき、例えばホール素子１１６の感磁部に正対する方向からフェライトコア２０４に対して外部磁界（図中参照符号Ｎ）が到来したとすると、第２実施形態では以下の手法でノイズの影響を排除することができる。
【００４１】
上記のようにシールド部材２２０には珪素鋼板が使用されているため、シールド部材２２０の方がフェライトコア２０４よりも透磁率が高い。このため第２実施形態では、フェライトコア２０４に向けて外部磁界（図中参照符号Ｎ）が到来した場合であっても、シールド部材２２０だけに磁束が通り、フェライトコア２０４には外部磁界が到達しない。したがって、フェライトコア２０４内の磁路には外部磁界が進入してこないことから、ホール素子１１６にノイズの影響を介入させることなく、被検出電流により発生する磁界に応じた正確な電圧信号を出力させることができる。
【００４２】
次に図６は、第２実施形態を変形した実施形態を示す断面図である。この場合、フェライトコア２０４の外周面には、一回り大きなＣ字形状のシールド部材２２２が配置されている。このシールド部材２２２は、コアギャップ２０４ｃの領域を除いてフェライトコア２０４の外周面を全て覆うだけの大きさと形状を有している。
【００４３】
第２実施形態を変形した実施形態では、例えばホール素子１１６の感磁部（感磁面）に対してある程度の角度をもった方向から外部磁界が到来した場合であっても、コアギャップ２０４ｃを除くフェライトコア２０４の外周面が全てシールド部材２２２で覆われているため、やはりシールド部材２２２だけに磁束が通り、フェライトコア２０４には外部磁界が到達しない。したがって、フェライトコア２０４内の磁路には外部磁界が進入してこないことから、ホール素子１１６にノイズの影響を介入させることなく、被検出電流により発生する磁界に応じた正確な電圧信号を出力させることができる。
【００４４】
図７は、さらに第２実施形態を変形した別例を示す斜視図である。この別例として示されるシールド部材２２４は、例えば１つの長辺部２０４ａを除くフェライトコア２０４の外周面に加え、図７中でみてその上面及び下面をも覆うことができる。
【００４５】
具体的には、シールド部材２２４は一対の鏡板２２４ｂを有しており、これら鏡板２２４ｂは、フェライトコア２０４の他の長辺部２０４ｄ及び一対の短辺部２０４ｅの上面及び下面を覆うことができる大きさと形状を有している。鏡板２２４ｂは個々にコ字形状をなしており、その内側には矩形の切欠部２２４ｃが形成されている。
【００４６】
またシールド部材２２４は側板２２４ａを有しており、この側板２２４ａは一対の鏡板２２４ｂの周縁部に沿った３面体形状をなしている。そして、これら鏡板２２４ｂ及び側板２２４ａの内側に収納部２２４ｄが形成されており、この収納部２２４ｄ内にフェライトコア２０４が収納された状態で樹脂ケース２０２に収容されるものとなっている。なお、このとき内周壁２０２ｂは切欠部２２４ｃの内側に位置付けられるので、被検出電流を導通させる導体がシールド部材２２４に干渉することはない。
【００４７】
上記の別例によれば、フェライトコア２０４の外周面に加えて上面及び下面もがシールド部材２２４に覆われているため、ホール素子１１６の感磁部（感磁面）に対してあらゆる角度から外部磁界が到来したとしても、フェライトコア２０４がシールド部材２２４によって強固に防護される。このため、フェライトコア２０４の磁路内に外部磁界を進入させることがなく、ホール素子１１６から正確な電圧信号を出力させることができる。
【００４８】
〔第３実施形態〕
図８は、第３実施形態の電流検出器３００を構成要素に分解して示した斜視図である。第３実施形態の電流検出器３００は、第１実施形態で用いたフェライトコア１０４の構成に、第２実施形態で用いたシールド部材２２０を追加したものである。したがって、第１，第２実施形態と共通する部材や構成要素については図中に共通の符号を付し、その重複した説明を省略するものとする。
【００４９】
第３実施形態の電流検出器３００によれば、第１実施形態において述べた効果と、第２実施形態において述べた効果とを合わせて得ることができる。
【００５０】
本発明は上述した各実施形態に制約されることなく、種々に変形して実施可能である。例えば、フェライトコアは四角形環状のものだけでなく、その他の多角形環状のものであってもよいし、あるいは円環状のものであってもよい。
【００５１】
第２，第３実施形態で挙げたシールド部材は珪素鋼板に限らず、その他の磁性材料（フェライトよりも透磁率が大きいもの）であってもよい。
【００５２】
また、各実施形態で挙げた各種部材の具体的な形状や大きさ、厚み等の仕様は、実際に対象とする被検出電流の特性に合わせて適宜に変更することができる。
【００５３】
その他、各実施形態において図示とともに挙げた構造はあくまで好ましい一例であり、基本的な構造に各種の要素を付加し、あるいは一部を置換しても本発明を好適に実施可能であることはいうまでもない。
【図面の簡単な説明】
【００５４】
【図１】第１実施形態の電流検出器を構成要素に分解して示した斜視図である。
【図２】図１中、II−II線に沿う縦断面図である。
【図３】第１実施形態の追加実施形態を示す断面図である。
【図４】第２実施形態の電流検出器を構成要素に分解して示した斜視図である。
【図５】図４中、Ｖ−Ｖ線に沿うフェライトコア及びシールド部材の断面図である。
【図６】第２実施形態を変形した実施形態を示す断面図である。
【図７】さらに第２実施形態を変形した別例を示す斜視図である。
【図８】第３実施形態の電流検出器を構成要素に分解して示した斜視図である。
【符号の説明】
【００５５】
１００，２００，３００  電流検出器
１０２，２０２  樹脂ケース
１０４    フェライトコア
１０４ａ  長辺部
１０４ｂ  切欠部
１０４ｃ  コアギャップ
１０６    中間コア
１０８    エアギャップ
１１６    ホール素子
２２０，２２２，２２４  シールド部材
【図１】
2008224260.tif 000003
【図２】
2008224260.tif 000004
【図３】
2008224260.tif 000005
【図４】
2008224260.tif 000006
【図５】
2008224260.tif 000007
【図６】
2008224260.tif 000008
【図７】
2008224260.tif 000009
【図８】
2008224260.tif 000010